(57)【要約】【課題】容器内に流体が給排されるときに、流体の給排作業を円滑に行わせることが可能なフタ及び一対のフタを提供する。【解決手段】容器１の第二給排口３を開閉可能なフタ１０であって、フタ１０の底部１２の外側面１２ｂには、既存フタ４が挿入されることで、既存フタ４に結合する筒体１３が設けられる。また、フタ３０・４０においては、第二給排口３から外された第二フタ４０を、第一給排口２に装着されている第一フタ３０に、取り付け可能な構造を有する。【選択図】図７
2015120549.tif 000002
【特許請求の範囲】
【請求項１】
第一給排口、第二給排口及び前記第一給排口を開閉可能な既存フタを有する容器に用いられ、前記第二給排口を開閉可能なフタであって、
底部の外側面には、前記既存フタが挿入されることで、前記既存フタに結合する筒体が設けられることを特徴とする、
フタ。
【請求項２】
前記筒体の内側に透過性を有するカバーを配置して、前記カバーと前記底部の外側面との間にラベルを設置可能にしたことを特徴とする、
請求項１に記載のフタ。
【請求項３】
前記底部を透過性を有する部材で構成したことを特徴とする、
請求項２に記載のフタ。
【請求項４】
第一給排口及び第二給排口を有する容器に用いられ、前記第一給排口を開閉可能な第一フタと、前記第二給排口を開閉可能な第二フタと、を備える一対のフタであって、
前記第二給排口から外された前記第二フタを、前記第一給排口に装着されている前記第一フタに、取り付け可能な構造を有することを特徴とする、
一対のフタ。
【請求項５】
前記第一フタの底部の外側面に対して透過性を有する第一カバーを対向配置して、前記第一カバーと前記第一フタの底部の外側面との間に第一ラベルを設置可能にし、及び／又は、前記第二フタの底部の外側面に対して透過性を有する第二カバーを対向配置して、前記第二カバーと前記第二フタの底部の外側面との間に第二ラベルを設置可能にしたことを特徴とする、
請求項４に記載の一対のフタ。
【請求項６】
前記第二フタの底部の外側面に対して第二カバーを対向配置して、前記第二カバーと前記第二フタの底部の外側面との間に第二ラベルを設置可能にし、前記底部を透過性を有する部材で構成したことを特徴とする、
請求項４に記載の一対のフタ。
【請求項７】
前記第一フタの底部の外側面には突出部が設けられ、前記第二フタの底部の外側面には突出部が設けられ、
前記第一フタの突出部には第一ラベル設置部が取り付けられ、前記第二フタの突出部には第二ラベル設置部が取り付けられ、前記第一ラベル設置部及び前記第二ラベル設置部には切欠部がそれぞれ形成され、
前記第一ラベル設置部の切欠部と、前記第二ラベル設置部の切欠部が互いに嵌め合わされることによって、前記第一フタと前記第二フタが互いに取り付けられることを特徴とする、
請求項４に記載の一対のフタ。
【請求項８】
前記第一フタの底部の外側面、及び前記第二フタの底部の外側面のうちの一方には雌ネジが設けられ、他方には雄ネジが設けられ、
前記雌ネジと前記雄ネジが互いに螺合されることによって、前記第一フタと前記第二フタが互いに取り付けられることを特徴とする、
請求項４に記載の一対のフタ。
【請求項９】
前記第一フタの底部の外側面、及び前記第二フタの底部の外側面のうちの一方には穴部が設けられ、他方には突出部が設けられ、
前記穴部には拡径部が形成され、
前記突出部には前記拡径部に係合可能であり、弾性変形可能なフランジ部が形成され、
前記穴部に前記突出部が挿入され、前記フランジ部が前記拡径部に係合することによって、前記第一フタと前記第二フタが互いに取り付けられることを特徴とする、
請求項４に記載の一対のフタ。
【発明の詳細な説明】
【技術分野】
【０００１】
本発明は、フタ及び一対のフタに関する。
【背景技術】
【０００２】
従来、ポリタンク等の容器から給油作業等を行う場合、容器から外されたフタは、容器の上や地面等に仮り置きしていた。これにより、フタを紛失したり、フタに付着した液体が容器や周囲を汚損したり、フタに砂等が付着するおそれがあった。
【０００３】
そこで、容器の給排口に保持部を設けて、給排口から外されたフタを前記保持部で保持する技術は公知である（例えば、特許文献１）。
しかし、フタの保持部を設けるためには、容器の給排口を加工する必要があった。
【先行技術文献】
【特許文献】
【０００４】
【特許文献１】特開２００７−２０４１２４号公報
【発明の概要】
【発明が解決しようとする課題】
【０００５】
本発明は、容器の給排口を開放しつつ、容器の形状に影響されずに容器により保持されることができるフタ及び一対のフタを提供する。
【課題を解決するための手段】
【０００６】
請求項１に記載のフタは、
第一給排口、第二給排口及び前記第一給排口を開閉可能な既存フタを有する容器に用いられ、前記第二給排口を開閉可能なフタであって、
底部の外側面には、前記既存フタが挿入されることで、前記既存フタに結合する筒体が設けられる。
【０００７】
請求項２に記載のフタは、
前記筒体の内側に透過性を有するカバーを配置して、前記カバーと前記底部の外側面との間にラベルを設置可能にした。
【０００８】
請求項３に記載のフタは、
前記底部を透過性を有する部材で構成した。
【０００９】
請求項４に記載の一対のフタは、
第一給排口及び第二給排口を有する容器に用いられ、前記第一給排口を開閉可能な第一フタと、前記第二給排口を開閉可能な第二フタとを備える一対のフタであって、
前記第二給排口から外された前記第二フタを、前記第一給排口に装着されている前記第一フタに、取り付け可能な構造を有する。
【００１０】
請求項５に記載の一対のフタにおいては、
前記第一フタの底部の外側面に対して透過性を有する第一カバーを対向配置して、前記第一カバーと前記第一フタの底部の外側面との間に第一ラベルを設置可能にし、及び／又は、前記第二フタの底部の外側面に対して透過性を有する第二カバーを対向配置して、前記第二カバーと前記第二フタの底部の外側面との間に第二ラベルを設置可能にした。
【００１１】
請求項６に記載の一対のフタにおいては、
前記第二フタの底部の外側面に対して第二カバーを対向配置して、前記第二カバーと前記第二フタの底部の外側面との間に第二ラベルを設置可能にし、前記底部を透過性を有する部材で構成した。
【００１２】
請求項７に記載の一対のフタにおいては、
前記第一フタの底部の外側面には突出部が設けられ、前記第二フタの底部の外側面には突出部が設けられ、
前記第一フタの突出部には第一ラベル設置部が取り付けられ、前記第二フタの突出部には第二ラベル設置部が取り付けられ、前記第一ラベル設置部及び前記第二ラベル設置部には切欠部がそれぞれ形成され、
前記第一ラベル設置部の切欠部と、前記第二ラベル設置部の切欠部が互いに係合されることによって、前記第一フタと前記第二フタが互いに取り付けられることを特徴とする。
【００１３】
請求項８に記載の一対のフタは、
前記第一フタの底部の外側面、及び前記第二フタの底部の外側面のうちの一方には雌ネジが設けられ、他方には雄ネジが設けられ、
前記雌ネジと前記雄ネジが互いに螺合されることによって、前記第一フタと前記第二フタが互いに取り付けられる。
【００１４】
請求項９に記載の一対のフタは、
前記第一フタの底部の外側面、及び前記第二フタの底部の外側面のうちの一方には穴部が設けられ、他方には突出部が設けられ、
前記穴部には拡径部が形成され、
前記突出部には前記拡径部に係合可能であり、弾性変形可能なフランジ部が形成され、
前記穴部に前記突出部が挿入され、前記フランジ部が前記拡径部に係合することによって、前記第一フタと前記第二フタが互いに取り付けられる。
【発明の効果】
【００１５】
本発明のフタは、容器の第二給排口を開放しつつ、容器の形状に影響されずにフタ及び既存フタを容器により保持させることができるという効果を奏する。
また、本発明の一対のフタは、容器の第二給排口を開放しつつ、容器の形状に影響されずに第一フタ及び第二フタを容器により保持させることができるという効果を奏する。
【図面の簡単な説明】
【００１６】
【図１】（ａ）フタ及び既存フタが未装着の容器の斜視図、（ｂ）フタ及び既存フタを装着された容器の斜視図。
【図２】（ａ）フタの斜視図、（ｂ）図２（ａ）の切断端面図、（ｃ）硬質カバーの断面図。
【図３】（ａ）ラベル設置部の概念図、（ｂ）ラベルを設置されたフタの斜視図。
【図４】図３（ｂ）の切断端面図。
【図５】（ａ）軟質カバーを示す図、（ｂ）軟質カバーにより固定されたラベルを示す図。
【図６】（ａ）フタが既存フタに取り付けられる前の状態を示す斜視図、（ｂ）フタが既存フタに取り付けられた状態を示す斜視図、（ｃ）図６（ｂ）の切断端面図。
【図７】（ａ）フタが既存フタに取り付けられる前の状態を示す斜視図、（ｂ）フタが既存フタに取り付けられた状態を示す斜視図。
【図８】（ａ）第一フタの斜視図、（ｂ）図８（ａ）の切断端面図。
【図９】（ａ）第一ラベル設置部の概念図、（ｂ）第一ラベルを設置された第一フタの斜視図、（ｃ）図９（ｂ）の切断端面図。
【図１０】（ａ）第二フタの斜視図、（ｂ）図１０（ａ）の切断端面図。
【図１１】（ａ）第二ラベル設置部の概念図、（ｂ）第二ラベルを設置された第二フタの斜視図。
【図１２】図１１（ｂ）の切断端面図
【図１３】（ａ）第二フタが第一フタに取り付けられる前の状態を示す斜視図、（ｂ）第二フタが第一フタに取り付けられた状態を示す斜視図、（ｃ）図１３（ｂ）の切断端面図。
【図１４】（ａ）第一フタの変形例を示す斜視図、（ｂ）図１４（ａ）の切断端面図、（ｃ）第二フタの変形例を示す斜視図、（ｄ）図１４（ｃ）の一部切断端面図。
【図１５】（ａ）ラベル設置部の取り付け構造の一例を示す図、（ｂ）ラベル設置部の取り付け構造の一例を示す図。
【図１６】（ａ）第一フタの変形例を示す斜視図、（ｂ）図１６（ａ）の切断端面図、（ｃ）第二フタの変形例を示す斜視図、（ｄ）図１６（ｃ）の一部切断端面図。
【図１７】（ａ）第一フタの変形例を示す斜視図、（ｂ）図１７（ａ）の一部切断端面図、（ｃ）第二フタの変形例を示す斜視図、（ｄ）図１７（ｃ）の一部切断端面図。
【図１８】図１７（ａ）〜図１７（ｄ）に示す第一フタ及び第二フタが互いに取り付けられた状態を示す図。
【図１９】（ａ）第一フタの変形例を示す斜視図、（ｂ）図１９（ａ）の一部切断端面図、（ｃ）第二フタの変形例を示す斜視図、（ｄ）図１９（ｃ）の一部切断端面図。
【図２０】図１９（ａ）〜図１９（ｄ）に示す第一フタ及び第二フタが互いに取り付けられた状態を示す図。
【図２１】（ａ）第二フタの変形例を示す切断端面図、（ｂ）第二フタの変形例を示す切断端面図。
【発明を実施するための形態】
【００１７】
まず、本発明のフタの実施の一形態であるフタ１０について説明する。
【００１８】
フタ１０は、流体を収容可能な容器１に用いられる。容器１は複数の給排口を有し、前記各給排口を介して流体を容器１に給排することが可能である。本実施形態の容器１は、飲料水、灯油等を収容可能なポリタンクであるが、これに限定するものではない。
【００１９】
図１（ａ）及び図１（ｂ）に示すように、容器１は、第一給排口２、第二給排口３、及び既存フタ４を有する。
【００２０】
第一給排口２は、筒状に形成され、容器１の内側と外側を連通している。第一給排口２の外周面には、雄ネジ２ｂが形成されている。
第二給排口３は、筒状に形成され、容器１の内側と外側を連通している。第二給排口３の外周面には、雄ネジ３ｂが形成されている。
【００２１】
既存フタ４は、第一給排口２を開閉する。既存フタ４は、第一給排口２の雄ネジ２ｂに螺合されることで、第一給排口２に螺着（装着）される。既存フタ４の底部においては、既存フタ４が第一給排口２に螺着されたときに容器１の内側を向く面を内側面４ａとし、容器１の外側を向く面を外側面４ｂとする。既存フタ４の底部の縁部には、パッキン４ｃが設けられる（図６（ｃ）参照）。
第一給排口２は、既存フタ４が螺着されることで閉塞され、既存フタ４が外されることで開放される。
【００２２】
図１（ａ）〜図２（ｂ）に示すように、フタ１０は、第二給排口３を開閉可能である。フタ１０は、側壁部１１、底部１２、筒体１３、及びラベル設置部１４（図３（ａ）参照）を有する。
【００２３】
側壁部１１は、筒状に形成され、その一方の端部が底部１２により閉塞されている。側壁部１１の内周面には、雌ネジ１１ａが形成されている。フタ１０は、雌ネジ１１ａにより、第二給排口３の雄ネジ３ｂに螺合可能に構成される。
フタ１０は、第二給排口３の雄ネジ３ｂに螺合されることで、第二給排口３に螺着（装着）される。このとき、フタ１０の底部１２が第二給排口３の開口に対向した状態になる。
第二給排口３は、フタ１０が螺着されることで閉塞され、フタ１０が外されることで開放される。
【００２４】
フタ１０の底部１２においては、フタ１０が第二給排口３に螺着（装着）されたときに容器１の内側を向く面を内側面１２ａとし、容器１の外側を向く面を外側面１２ｂとする。フタ１０の底部１２の縁部には、パッキン１０ｃが設けられる。
底部１２の外側面１２ｂ側には、筒体１３が設けられる。
【００２５】
以下では、筒体１３について説明する。
【００２６】
筒体１３は、フタ１０を既存フタ４に保持させるための部材である。
筒体１３は、筒状に形成され、その一方の端部が底部１２の外側面１２ｂにより閉塞され、その他方の端部１３ａが開放されている。筒体１３は段付き形状に形成され、他端部１３ａ側の方が、奥側（底部１２側）よりも径が大きい。筒体１３の他端部１３ａは、弾性変形可能な部材で構成されている。
【００２７】
以下では、ラベル設置部１４について説明する。
【００２８】
ラベル設置部１４は、フタ１０にラベル１１０を設置するものである。
図３（ａ）〜図４に示すように、ラベル設置部１４は、筒体１３の内周面に形成される雌ネジ１５、及び硬質カバー１６を有する。
【００２９】
筒体１３の雌ネジ１５は、筒体１３内部の奥側（底部１２側）に形成されている。
硬質カバー１６は、透過性を有する板状の部材である。硬質カバー１６の外周には、雄ネジ１６ａが形成される。硬質カバー１６は、その雄ネジ１６ａにより、筒体１３の雌ネジ１５に螺合可能に構成される。硬質カバー１６には、コインドライバー等の工具５００が係合可能な溝１６ｂ・１６ｃが形成されている。溝１６ｂは硬質カバー１６の盤面に垂直に形成され、溝１６ｃは硬質カバー１６の盤面に対して傾斜している。硬質カバー１６は、その雄ネジ１６ａが筒体１３の雌ネジ１５に突き合わされて、溝１６ｂに工具５００が係合された状態で、工具５００により回転されることによって、筒体１３の雌ネジ１５に螺合される。このとき、硬質カバー１６が底部１２の外側面１２ｂに対向配置される。
硬質カバー１６が筒体１３から外されるときは、硬質カバー１６の溝１６ｂに工具５００が係合され、工具５００により硬質カバー１６が回転される。そして、硬質カバー１６が雌ネジ１５から外れると、工具５００が硬質カバー１６の溝１６ｃに係合され、工具５００により硬質カバー１６が引っ掛けられてほじくりだされる（図２（ｃ）参照）。
【００３０】
硬質カバー１６と、底部１２の外側面１２ｂとの間には、ラベル１１０を設置可能である。ラベル１１０の記載内容については、特に限定されず、例えば、容器１に収容されている流体の種類、流体の収容日等が記載される。本実施形態では、ラベル１１０には、流体の種類が記載されていることとする。ラベル１１０の設置は以下の（ａ）〜（ｃ）の手順で行われる。（ａ）ラベル１１０が筒体１３の内側の空間内に挿入される。（ｂ）硬質カバー１６が空間内に挿入される。（ｃ）硬質カバー１６が筒体１３の雌ネジ１５に螺合される。
フタ１０にラベル１１０を設置することによって、フタ１０が容器１の第二給排口３に螺着された状態で、透明な硬質カバー１６越しにラベル１１０を視認できる（図３（ｂ）参照）。
【００３１】
なお、硬質カバー１６の代わりに軟質カバー１７を用いてもよい。
図５（ａ）及び図５（ｂ）に示すように、軟質カバー１７は、透過性を有するシート状の部材である。軟質カバー１７は、筒体１３の内側の空間内に挿入されて、その端部をネジ１７ｂ等により底部１２の外側面１２ｂに固定されている。筒体１３の奥側の内周面には軟質カバー１７の端部をおさえる突起１３ｂが設けられている。突起１３ｂは、ネジ１７ｂと反対側の位置に設けられており、ネジ１７ｂと対向配置されている。
【００３２】
軟質カバー１７と外側面１２ｂとの間には、ラベル１１０を設置可能である。ラベル１１０の設置は以下の（ｄ）〜（ｆ）の手順で行われる。（ｄ）軟質カバー１７がめくられる。（ｅ）底部１２の外側面１２ｂ上にラベル１１０が設置される。（ｆ）ラベル１１０に軟質カバー１７がかぶせられる。軟質カバー１７は、その剛性により、ラベル１１０を、軟質カバー１７と底部１２の外側面１２ｂとの間で挟んだ状態を保持する。また、突起１３ｂが、軟質カバー１７の端部をおさえることによって、ラベル１１０をより強固に保持する。
【００３３】
以上のように、フタ１０においては、筒体１３の内側には透過性を有するカバー１６・１７が設けられ、カバー１６・１７と外側面１２ｂとの間にラベル１１０を設置可能である。
これにより、フタ１０が容器１の第二給排口３に螺着（装着）された状態で、容器１の外側から、透明なカバー１６・１７越しにラベル１１０を視認することが可能となる。
従って、作業者は、ラベル１１０を視認することで、容器１内の流体の種類を認識することが可能となる。
【００３４】
フタ１０は、既存フタ４に取り付け可能な構造を有する。以下、詳細に説明する。
図６（ａ）〜図７（ｂ）に示すように、フタ１０の筒体１３は、既存フタ４を挿入可能な開口端部である他端部１３ａを有する。筒体１３は、その他端部１３ａから既存フタ４を挿入されることで、他端部１３ａが弾性変形して既存フタ４の底部の外周に直接に圧着する（図７（ｂ）参照）。これにより、筒体１３が、既存フタ４に結合した状態になる。このとき、フタ１０は、その底部１２の外側面１２ｂを既存フタ４の底部の外側面４ｂに対向配置した姿勢で、既存フタ４に結合する。筒体１３は、容器１が持ち運ばれたり、第二給排口３から流体を給排するために容器１が傾けられても、既存フタ４から外れない程度の強さで既存フタ４に結合する。
フタ１０は、既存フタ４に筒体１３が圧着した状態から、引き抜かれることで、既存フタ４から外れる。
【００３５】
以上のように、容器１の第二給排口３から外されたフタ１０は、筒体１３により第一給排口２に装着された既存フタ４に結合されることで、容器１により保持される。その結果、第二給排口３が開放されつつ、フタ１０及び既存フタ４が容器１により保持された状態になる。これによると、容器１に対して、フタ１０を保持するための保持部を設ける必要がなく、前記保持部のために容器１を加工する必要がない。従って、フタ１０は、第二給排口３を開放しつつ、容器１の形状に影響されずにフタ１０及び既存フタ４を容器１により保持させることができる。
【００３６】
なお、既存フタ４を、容器１の第一給排口２から外して、第二給排口３に装着されたフタ１０に結合させるように構成してもよい。既存フタ４は、フタ１０の筒体１３に挿入されることで、フタ１０に結合する。その結果、フタ１０及び既存フタ４が容器１により保持された状態になる。これによると、フタ１０は、第一給排口２を開放しつつ、容器１の形状に影響されずにフタ１０及び既存フタ４を容器１により保持させることができる。
【００３７】
なお、底部１２を、透過性を有する部材で構成してもよい。
これにより、フタ１０の裏側からでも、透明な底部１２越しにラベル１１０を視認することが可能となる。その結果、フタ１０が第二給排口３から外されて、既存フタ４に結合されたときでも（図７（ｂ）参照）、透明な底部１２越しにラベル１１０を視認することが可能となる。
【００３８】
以下では、本発明の一対のフタの実施の一形態である一対のフタについて説明する。
【００３９】
本実施形態の一対のフタは、第一フタ３０と、第二フタ４０とで構成される。フタ３０・４０は、上記容器１に用いられる。
【００４０】
まず、第一フタ３０について説明する。
【００４１】
第一フタ３０は、第一給排口２を開閉可能である。
図８（ａ）及び図８（ｂ）に示すように、第一フタ３０は、側壁部３１、底部３２、筒体３３、及び第一ラベル設置部３４を有する。
【００４２】
側壁部３１は、筒状に形成され、その一方の端部が底部３２により閉塞されている。側壁部３１の内周面には、雌ネジ３１ａが形成されている。第一フタ３０は、雌ネジ３１ａにより、第一給排口２の雄ネジ２ｂに螺合可能に構成される。
第一フタ３０は、第一給排口２の雄ネジ２ｂに螺合されることで、第一給排口２に螺着（装着）される。このとき、第一フタ３０の底部３２が第一給排口２の開口に対向した状態になる。
第一給排口２は、第一フタ３０が螺着されることで閉塞され、第一フタ３０が外されることで開放される。
【００４３】
第一フタ３０の底部３２においては、第一フタ３０が第一給排口２に螺着されたときに容器１の内側を向く面を内側面３２ａとし、容器１の外側を向く面を外側面３２ｂとする。第一フタ３０の底部３２の縁部には、パッキン３０ｃが設けられる。
底部３２の外側面３２ｂには、筒体３３が設けられる。
【００４４】
以下では、筒体３３について説明する。
【００４５】
筒体３３は、筒状に形成され、その一方の端部が底部３２の外側面３２ｂにより閉塞され、その他方の端部が開放されている。
筒体３３の外周面には、雄ネジ３３ｂが形成されている。
【００４６】
以下では、第一ラベル設置部３４について説明する。
【００４７】
第一ラベル設置部３４は、筒体３３の内側に第一ラベル１１１を設置するものである。
【００４８】
図９（ａ）〜図９（ｃ）に示すように、第一ラベル設置部３４は、筒体３３の内周面に形成される雌ネジ３５、及び第一硬質カバー３６を有する。雌ネジ３５は上記ラベル設置部１４の雌ネジ１５に相当し、第一硬質カバー３６は上記硬質カバー１６に相当する。
第一硬質カバー３６は、その雄ネジ３６ａにより、筒体３３の雌ネジ３５に螺合可能に構成される。第一硬質カバー３６は、筒体３３の雌ネジ３５に螺合されることで、底部３２の外側面３２ｂに対向配置される。
【００４９】
第一硬質カバー３６と、底部３２の外側面３２ｂとの間には、第一ラベル１１１を設置可能である。第一ラベル１１１は、上記ラベル設置部１４のときと同様の手順で設置される。
なお、第一硬質カバー３６に換えて、上記軟質カバー１７に相当する第一軟質カバーを設けてもよい。
【００５０】
以上のように、第一フタ３０においては、筒体３３の内側には透過性を有する第一硬質カバー３６（又は前記第一軟質カバー）が設けられ、第一硬質カバー３６（又は前記第一軟質カバー）と外側面３２ｂとの間に第一ラベル１１１を設置可能である。
これにより、第一フタ３０が容器１の第一給排口２に螺着（装着）された状態で、容器１の外側から、透明な第一硬質カバー３６（又は前記第一軟質カバー）越しに第一ラベル１１１を視認することが可能となる（図９（ｂ）参照）。
従って、作業者は、第一ラベル１１１を視認することで、容器１内の流体の種類を認識することが可能となる。
【００５１】
以下では、第二フタ４０について説明する。
【００５２】
第二フタ４０は、第二給排口３を開閉可能である。
図１０（ａ）及び図１０（ｂ）に示すように、第二フタ４０は、側壁部４１、底部４２、筒体４３、及び第二ラベル設置部４４を有する。
【００５３】
側壁部４１は、筒状に形成され、その一方の端部が底部４２により閉塞されている。側壁部４１の内周面には、雌ネジ４１ａが形成されている。第二フタ４０は、雌ネジ４１ａにより、第二給排口３の雄ネジ３ｂに螺合可能に構成される。
第二フタ４０は、第二給排口３の雄ネジ３ｂに螺合されることで、第二給排口３に螺着（装着）される。このとき、第二フタ４０の底部４２が第二給排口３の開口に対向した状態になる。
第二給排口３は、第二フタ４０が螺着されることで閉塞され、第二フタ４０が外されることで開放される。
【００５４】
第二フタ４０の底部４２においては、第二フタ４０が第二給排口３に螺着されたときに容器１の内側を向く面を内側面４２ａとし、容器１の外側を向く面を外側面４２ｂとする。第二フタ４０の底部４２の縁部には、パッキン４０ｃが設けられる。
底部４２の外側面４２ｂには、筒体４３が設けられる。
【００５５】
以下では、筒体４３について説明する。
【００５６】
筒体４３は、筒状に形成され、その一方の端部が底部４２の外側面４２ｂにより閉塞され、その他方の端部４３ａが開放されている。筒体４３は段付き形状に形成され、他端部４３ａ側の方が、奥側（底部４２側）よりも径が大きい。
筒体４３の内周面には、雌ネジ４３ｂが形成されている。雌ネジ４３ｂは、他端部４３ａ側に形成される。
【００５７】
以下では、第二ラベル設置部４４について説明する。
【００５８】
第二ラベル設置部４４は、筒体４３の内側に第二ラベル１１２を設置するものである。
【００５９】
図１１（ａ）〜図１２に示すように、第二ラベル設置部４４は、筒体４３の内周面に形成される雌ネジ４５、及び第二硬質カバー４６を有する。第二硬質カバー４６は上記硬質カバー１６に相当する。雌ネジ４５は、筒体４３内部の奥側（底部４２側）に形成される。
第二硬質カバー４６は、その雄ネジ４６ａにより、筒体４３の雌ネジ４５に螺合可能に構成される。第二硬質カバー４６は、筒体４３の雌ネジ４５に螺合されることで、底部４２の外側面４２ｂに対向配置される。
【００６０】
第二硬質カバー４６と、底部４２の外側面４２ｂとの間には、第二ラベル１１２を設置可能である。第二ラベル１１２は、上記ラベル設置部１４のときと同様の手順で設置される。
なお、第二硬質カバー４６に換えて、上記軟質カバー１７に相当する第二軟質カバーを設けてもよい。
【００６１】
以上のように、第二フタ４０においては、筒体４３の内側には透過性を有する第二硬質カバー４６（又は前記第二軟質カバー）が設けられ、第二硬質カバー４６（又は前記第二軟質カバー）と外側面４２ｂとの間に第二ラベル１１２を設置可能である。
これにより、第二フタ４０が容器１の第二給排口３に螺着（装着）された状態で、容器１の外側から、透明な第二硬質カバー４６（又は前記第二軟質カバー）越しに第二ラベル１１２を視認することが可能となる。
従って、作業者は、第二ラベル１１２を視認することで、容器１内の流体の種類を認識することが可能となる。
【００６２】
なお、第一ラベル１１１と第二ラベル１１２のうちのいずれか一方を設置してもよく、又は双方を設置してもよい。
第一ラベル１１１と第二ラベル１１２の双方を設置する場合は、ラベル１１１・１１２に互いに異なる情報を記載してもよい。例えば、第一ラベル１１１には流体の種類を記載し、第二ラベル１１２には流体の収容日を記載する。これにより、作業者は、より多くの情報を認識することが可能となる。
【００６３】
フタ３０・４０は、第二給排口３から外された第二フタ４０を、第一給排口２に装着されている第一フタ３０に、取り付け可能な構造を有する。以下、詳細に説明する。
図１３（ａ）〜図１３（ｃ）に示すように、第二フタ４０は、雌ネジ４３ｂにより第一フタ３０の雄ネジ３３ｂに螺合可能に構成される。第二フタ４０は、第一フタ３０の雄ネジ３３ｂに螺合されることで、第一フタ３０に直接に取り付けられる。このとき、第二フタ４０は、その底部４２の外側面４２ｂを第一フタ３０の底部３２の外側面３２ｂに対向配置した姿勢で、第一フタ３０に取り付けられる。第二フタ４０は、第一フタ３０に螺合されているので、容器１が持ち運ばれたり、第二給排口３から流体を給排するために容器１が傾けられても、第一フタ３０から外れない程度の強さで第一フタ３０に取り付けられる。
第二フタ４０は、第一フタ３０に取り付けられた状態から、第一フタ３０に対して回転されることで、第一フタ３０から外れる。
【００６４】
以上のように、容器１の第二給排口３から外された第二フタ４０は、第一給排口２に装着された第一フタ３０に取り付けられることで、容器１により保持される。これによると、容器１に対して、第二フタ４０を保持するための保持部を設ける必要がなく、前記保持部のために容器１を加工する必要がない。従って、一対のフタ３０・４０は、第二給排口３を開放しつつ、容器１の形状に影響されずに第一フタ３０及び第二フタ４０を容器１により保持させることができる。
【００６５】
なお、第一フタ３０を容器１の第一給排口２から外して、第二給排口３に装着された第二フタ４０に取り付けるように構成してもよい。第一フタ３０は、その雄ネジ３３ｂにより第二フタ４０の雌ネジ４３ｂに螺合されることで、第二フタ４０に取り付けられる。その結果、第一フタ３０が容器１により保持された状態になる。これによると、一対のフタ３０・４０は、第一給排口２を開放しつつ、容器１の形状に影響されずに第一フタ３０及び第二フタ４０を容器１により保持させることができる。
【００６６】
また、例えば、フタ３０・４０のネジ溝を深くするか、又は、ネジ山を低くして、フタ３０・４０同士が緩めに螺着されるように構成してもよい。詳細には、各フタ３０・４０が各給排口２・３にそれぞれ螺着されるときよりも、フタ３０・４０同士が螺着されるときのほうが、緩めに螺着されるように構成してもよい。これにより、フタ３０・４０同士が螺着されたり、フタ３０・４０同士が外されるときに、フタ３０・４０がつれまわりすることを防止できる。
【００６７】
また、底部４２を、透過性を有する部材で構成してもよい。
これにより、第二フタ４０の裏側からでも、透明な底部４２越しに第二ラベル１１２を視認することが可能となる。その結果、第二フタ４０が第二給排口３から外されて、第一フタ３０に取り付けられたときでも、透明な底部４２越しに第二ラベル１１２を視認することが可能となる。
なお、第一フタ３０を第二フタ４０に取り付ける場合は、第一フタ３０の底部３２を、透過性を有する部材で構成してもよい。
【００６８】
また、本実施形態では、筒体３３・４３を用いて、第二フタ４０を第一フタ３０に取り付けるように構成したが、本発明はこれに限定されない。
【００６９】
以下では、フタ３０．４０の変形例であるフタ７０・８０について説明する。
図１４（ａ）〜図１４（ｄ）に示すように、第一フタ７０の底部７２の外側面７２ｂには雌ネジ７２ｃが設けられ、第二フタ８０の底部８２の外側面８２ｂには雄ネジ８２ｃが設けられる。当該ネジ７２ｃ・８２ｃが互いに螺合されることで、第二フタ７０が第一フタ８０に取り付けられる。
【００７０】
図１５（ａ）に示すように、第二フタ８０に、ラベル設置部１２０を取り付け可能に構成してもよい。ラベル設置部１２０・１２１・１２２・１２３・１２４は、ラベル１１１・１１２を収容可能なケース状の部材である。以下では、ラベル設置部１２０の取り付け構造について説明する。第二フタ８０の底部８２の外側面８２ｂには雄ネジ部８２ｄが設けられる。雄ネジ８２ｃには、雄ネジ部８２ｄに螺合可能な雌ネジ部８２ｅが設けられる。ラベル設置部１２０は、雄ネジ部８２ｄを挿通可能な孔１２０ａを有する。
ラベル設置部１２０の孔１２０ａに雄ネジ部８２ｄを挿通された後、雄ネジ部８２ｄと雌ネジ部８２ｅが螺合されることによって、ラベル設置部１２０が第二フタ８０に取り付けられる。
【００７１】
なお、図１４（ａ）〜図１４（ｄ）とは逆に、第一フタ７０の底部７２の外側面７２ｂに雄ネジ８２ｃを設け、第二フタ８０の底部８２の外側面８２ｂに雌ネジ７２ｃを設けてもよい。この場合、第一フタ７０にラベル設置部１２０が取り付け可能に構成される（図１５（ａ）及び図１５（ｂ）参照）。
【００７２】
図１５（ｂ）に示すように、図１５（ａ）に示した構造とは異なる構造で、第二フタ８０に、ラベル設置部１２０を取り付け可能に構成してもよい。以下では、ラベル設置部１２０の取り付け構造の変形例について説明する。第二フタ８０の雄ネジ８２ｃの基端部には環状の溝８２ｆが形成される。ラベル設置部１２０には、溝８２ｆに係合可能な孔部１２０ｂが形成される。ラベル設置部１２０の孔部１２０ｂを形成する箇所が弾性変形可能な部材で構成される。
ラベル設置部１２０の孔部１２０ｂに雄ネジ８２ｃが挿通されることによって、ラベル設置部１２０の孔部１２０ｂが弾力により雄ネジ８２ｃの溝８２ｆに係合して、これにより、ラベル設置部１２０が第二フタ８０に取り付けられる。
【００７３】
以下では、フタ３０．４０の変形例であるフタ９０・１００について説明する。
図１６（ａ）及び図１６（ｂ）に示すように、第一フタ９０の底部９２の外側面９２ｂには穴部９２ｃが設けられ、穴部９２ｃの底には拡径部９２ｄが形成される。第二フタ１００の底部１０２の外側面１０２ｂには突出部１０２ｃが設けられ、突出部１０２ｃの先端にはフランジ部１０２ｄが形成され、フランジ部１０２ｄが弾性変形可能な部材（ゴム的材料）で構成される。第二フタ１００の突出部１０２ｃが第一フタ９０の穴部９２ｃに挿入され、フランジ部１０２ｄの弾力によりフランジ部１０２ｄが穴部９２ｃの拡径部９２ｄに係合することで、第二フタ１００が第一フタ９０に取り付けられる。なお、突出部１０２ｃ全体をゴム的材料で構成してもよい。これにより、突出部１０２ｃが折れにくく耐久性が向上する。
なお、第二フタ１００に、ラベル設置部１２０を取り付けてもよい。この場合、第二フタ１００の突出部１０２ｃが、上記第二フタ８０の雄ネジ８２ｃに相当するものと考えて、第二フタ８０に対するラベル設置部１２０の取り付け構造と同様の構成で、第二フタ１００に対するラベル設置部１２０の取り付け構造を構成する（図１５（ａ）及び図１５（ｂ）参照）。
【００７４】
なお、図１６（ａ）〜図１６（ｄ）とは逆に、第一フタ９０の底部９２の外側面９２ｂに突出部１０２ｃを設け、第二フタ１００の底部１０２の外側面１０２ｂに穴部９２ｃを設けてもよい。この場合、第一フタ９０にラベル設置部１２０が取り付け可能に構成される（図１５（ａ）及び図１５（ｂ）参照）。
【００７５】
以下では、フタ３０．４０の変形例であるフタ１３０・１４０について説明する。
図１７（ａ）及〜図１８に示すように、第一フタ１３０の底部１３２の外側面１３２ｂには、突出部１３２ｃが設けられ、突出部１３２ｃには雌ネジ（又は拡径部付きの穴）１３２ｄが形成される。第二フタ１４０の底部１４２の外側面１４２ｂには突出部１４２ｃが設けられ、突出部１４２ｃには雄ネジ（又はゴム的材料で構成されるフランジ部付きの突起）１４２ｄが設けられる。ネジ１３２ｄ・１４２ｄが螺合されることによって（又は突起が穴に挿入されてフランジ部がその弾力により拡径部に係合することによって）、第二フタ１４０が第一フタ１３０に取り付けられる（図１８参照）。なお、図１７（ａ）〜図１７（ｄ）とは逆に、第一フタ１３０の底部１３２の外側面１３２ｂに雄ネジ（又はゴム的材料で構成されるフランジ部付きの突起）１４２ｄを設け、第二フタ１４０の底部１４２の外側面１４２ｂに雌ネジ（又は拡径部付きの穴）１３２ｄを設けてもよい。
なお、第一フタ１３０の突出部１３２ｃ、及び第二フタ１４０の突出部１４２ｃにラベル設置部１２１・１２２をそれぞれ取り付けてもよい。この場合、各フタ１３０・１４０の突出部１３２ｃ・１４２ｃが、上記第二フタ８０の雄ネジ８２ｃに相当するものと考えて、第二フタ８０に対するラベル設置部１２０の取り付け構造と同様の構成で、各フタ１３０・１４０に対する各ラベル設置部１２１・１２２の取り付け構造をそれぞれ構成する（図１５（ａ）及び図１５（ｂ）参照）。
【００７６】
以下では、フタ３０．４０の変形例であるフタ１５０・１６０について説明する。
図１９（ａ）〜図１９（ｄ）に示すように、第一フタ１５０の底部１５２の外側面１５２ｂには、突出部１５２ｃが設けられる。第二フタ１６０の底部１６２の外側面１６２ｂには突出部１６２ｃが設けられる。第一フタ１５０の突出部１５２ｃ、及び第二フタ１６０の突出部１６２ｃにラベル設置部１２３・１２４がそれぞれ取り付けられる。
各フタ１５０・１６０に対する各ラベル設置部１２３・１２４の取り付け構造は、各フタ１５０・１６０の突出部１５２ｃ・１６２ｃが、上記第二フタ８０の雄ネジ８２ｃに相当するものと考えて、第二フタ８０に対するラベル設置部１２０の取り付け構造と同じ構造で構成される（図１５（ａ）及び図１５（ｂ）参照）。
第一ラベル設置部１２３及び第二ラベル設置部１２４には切欠部１２３ａ・１２４ａがそれぞれ形成される。図２０に示すように、第一ラベル設置部１２３の切欠部１２３ａと、第二ラベル設置部１２４の切欠部１２４ａが互いに係合される（嵌め合わされる）ことによって、第一フタ１５０と第二フタ１６０が、ラベル設置部１２３・１２４を介して互いに取り付けられる。
【００７７】
また、第一フタの底部の外側面と、第二フタの底部の外側面とにそれぞれマグネットを設け、各マグネットの磁力を用いて第二フタを第一フタに取り付けるように構成してもよい。
【００７８】
以下では、第二フタ４０の変形例である第二フタ５０について説明する。
【００７９】
図２１（ａ）に示すように、第二フタ５０においては、側壁部５１と筒体５３とが全体として筒形状を形成する。
第二フタ５０は、側壁部５１の雌ネジ５１ａにより、第二給排口３の雄ネジ３ｂに螺着可能に構成される。
第二フタ５０は、筒体５３の雌ネジ５３ａにより、第一フタ３０の雄ネジ３３ｂに螺着可能に構成される。
【００８０】
側壁部５１の内径は、筒体５３の内径よりも小さく、これにより、側壁部５１と筒体５３とが連なる箇所には段部が形成されている。段部には、パッキン５３ｂが配置されている。
【００８１】
底部５２は、筒体５３の雌ネジ５３ａに螺合している。底部５２は、筒体５３内の奥まで進入して、パッキン５３ｂに接触している。底部５２は、透過性を有する部材で構成されている。
【００８２】
第二硬質カバー５６は、筒体５３の雌ネジ５３ａに螺合されることで、底部５２の外側面５２ｂに対向配置される。
第二硬質カバー５６と、底部５２の外側面５２ｂとの間には、第二ラベル１１２を設置可能である。
【００８３】
これにより、第二フタ５０の裏側からでも、透明な底部５２越しに第二ラベル１１２を視認することが可能となる。その結果、第二フタ５０が第二給排口３から外されて、第一フタ３０に取り付けられたときでも、透明な底部４２越しに第二ラベル１１２を視認することが可能となる。
なお、第二硬質カバー５６を透過性を有する部材で構成してもよい。これにより、第二フタ５０が第二給排口３に螺着（装着）された状態で、透明な第二硬質カバー５６越しに第二ラベル１１２を視認することが可能となる。
【００８４】
以下では、第二フタ４０の変形例である第二フタ６０について説明する。
【００８５】
図２１（ｂ）に示すように、第二フタ６０においては、側壁部６１、底部６２、及び筒体６３の全てが一体化されている。
第二フタ６０は、側壁部６１の雌ネジ６１ａにより、第二給排口３の雄ネジ３ｂに螺着可能に構成される。
第二フタ６０は、筒体６３の雌ネジ６３ａにより、第一フタ３０の雄ネジ３３ｂに螺着可能に構成される。
【００８６】
側壁部６１の底は、底部６２の内側面６２ａにより閉塞されている。側壁部６１の底には、パッキン６１ｂが配置される。
側壁部６１の雌ネジ６１ａには、透過性を有する第二硬質カバー６６が螺合可能に構成される。第二硬質カバー６６は、側壁部６１の雌ネジ６１ａに螺合されることで、底部６２の内側面６２ａに対向配置される。第二硬質カバー６６と、底部６２の内側面６２ａとの間には、第二ラベル１１２を設置可能である。
【００８７】
これにより、第二フタ６０の裏側からでも、透明な第二硬質カバー６６越しに第二ラベル１１２を視認することが可能となる。その結果、第二フタ６０が第二給排口３から外されて、第一フタ３０に取り付けられたときでも、透明な第二硬質カバー６６越しに第二ラベル１１２を視認することが可能となる。
なお、底部６２を透過性を有する部材で構成してもよい。これにより、第二フタ６０が第二給排口３に螺着（装着）された状態で、透明な底部６２越しに第二ラベル１１２を視認することが可能となる。
【符号の説明】
【００８８】
１      容器
２      第一給排口
３      第二給排口
４      既存フタ
１０    フタ
１２    底部
１２ｂ  外側面
１３    筒体
３０    第一フタ
４０    第二フタ
【図１】
2015120549.tif 000003
【図２】
2015120549.tif 000004
【図３】
2015120549.tif 000005
【図４】
2015120549.tif 000006
【図５】
2015120549.tif 000007
【図６】
2015120549.tif 000008
【図７】
2015120549.tif 000009
【図８】
2015120549.tif 000010
【図９】
2015120549.tif 000011
【図１０】
2015120549.tif 000012
【図１１】
2015120549.tif 000013
【図１２】
2015120549.tif 000014
【図１３】
2015120549.tif 000015
【図１４】
2015120549.tif 000016
【図１５】
2015120549.tif 000017
【図１６】
2015120549.tif 000018
【図１７】
2015120549.tif 000019
【図１８】
2015120549.tif 000020
【図１９】
2015120549.tif 000021
【図２０】
2015120549.tif 000022
【図２１】
2015120549.tif 000023